(57)【特許請求の範囲】
【請求項１】
流水に照射することで循環路中の水を殺菌する２４時間浴水浄化循環装置における水用紫外線殺菌装置であって、前記循環路に設けられ、流入口と流出口とが設けられて循環する水を通すハウジングと、該ハウジングの開口部を閉塞する着脱自在な外管べ一スと、該外管べ一スの中央部に水密的に固定されて、ハウジング中に突出する先端が閉塞されると共に上端が開口する、殺菌線を通し且つ浴水浸入を遮断する外管と、前記外管べ一スに対して係合部を介して着脱自在にすると共に、中央部に殺菌線を放射するＵＶランプを固着したランプベースとを備え、前記ＵＶランプを前記外管の上端の開口部に挿入して前記ランプベースを前記外管べースに装着一体化して固定した、ランプベース付き外管べ一スを前記ハウジングに着脱自在にしたことを特徴とする２４時間浴水浄化循環装置における水用紫外線殺菌装置。
【請求項２】
請求項１において、前記ＵＶランプを点灯するための高周波高電圧を発生する点灯回路を前記ランプベースに収納してなることを特徴とした２４時間浴水浄化循環装置における水用紫外線殺菌装置。
【発明の詳細な説明】
【０００１】
【産業上の利用分野】
本発明は、浴水循環路内に配設され、水用紫外線殺菌装置のＵＶランプと外管とを装置本体に対して着脱自在とし、しかも外管に対してＵＶランプをも離脱可能として、ＵＶランプの損傷防止と外管及びＵＶランプの掃除を安全且つ確実にできるようにした２４時間浴水浄化循環装置における水用紫外線殺菌装置に関する。
【０００２】
【従来技術】
図８は従来のＵＶランプユニットの断面図であり、ＵＶランプａ，外管ｂ，ハウジングｃ，ハウジング蓋ｄとで構成されている。そのＵＶランプａを２４時間浴水浄化循環装置で使用する場合、電気的な安全性やランプが割れたときの安全性を考え、ＵＶランプａの外側に、紫外線を良く透過するガラスや石英などの材質による外管ｂを設けることが多い。該外管ｂは、殺菌効率を上げるためにも紫外線の透過率が良いものを使用するのは勿論、透過率を妨げる汚れなどが付かないようにするのが望ましい。しかし、浴水などの清水でない水処理の殺菌では外管ｂが汚れるのは避けられないのが現状である。そのため、６ヶ月から１年ごとに定期的に外管ｂをＵＶランプユニットから取り外して清掃を行う必要がある。
【０００３】
一方、ＵＶランプａには寿命があり、交換する必要もある。その交換頻度は、冷陰極タイプのものでは数年に１度、熱陰極タイプのもので１年から２年に１度である。今までのＵＶランプユニットの構造のものは、外管ｂの清掃を行うときに、まず、外管ｂ内に挿入してあるランプを取り出し、それから外管をＵＶランプユニットから取り外す手法がとられてきた。
【０００４】
【発明が解決しようとする課題】
しかし、外管ｂの清掃頻度とＵＶランプａの交換頻度を比較すると、外管ｂの清掃頻度の方が圧倒的に多く、外管ｂの清掃時に毎回ランプまで外管ｂから取り外すのは色々な点で問題がおきていた。まず、外管ｂもＵＶランプａもガラス又は石英などの割れやすいものでできているため、ＵＶランプａを外管ｂに挿入するときに割ってしまうことがある。特に、ＵＶランプａのガラスの方が肉圧が薄いのが一般的で、ＵＶランプａの取り扱いに注意が必要である。また、ランプ外壁に指紋などが付くと失透の原因となり、ＵＶランプａに触れる場合は手袋などの着用を求めていた。さらに、ＵＶランプａのリード線溶接部やＵＶランプａのガラス部をベースに固定している部分などは非常にデリケートな所で、扱いが煩雑だと玉切れとなることも多い。特に、外管ｂの清掃を目的に外した場合は、ＵＶランプａを外した後、手近な所にＵＶランプａを裸でそのまま置いておき、清掃作業中に割ってしまう危険が多かった。また、ＵＶランプａの掃除も必要なことからＵＶランプａと外管ｂとの分離機能も求められている。
【０００５】
【課題を解決するための手段】
そこで発明者は、前記課題を解決することを目的とし、鋭意，研究を重ねた結果、その発明を流水に照射することで循環路中の水を殺菌する２４時間浴水浄化循環装置における水用紫外線殺菌装置であって、前記循環路に設けられ、流入口と流出口とが設けられて循環する水を通すハウジングと、該ハウジングの開口部を閉塞する着脱自在な外管べ一スと、該外管べ一スの中央部に水密的に固定されて、ハウジング中に突出する先端が閉塞されると共に上端が開口する、殺菌線を通し且つ浴水浸入を遮断する外管と、前記外管べ一スに対して係合部を介して着脱自在にすると共に、中央部に殺菌線を放射するＵＶランプを固着したランプベースとを備え、前記ＵＶランプを前記外管の上端の開口部に挿入して前記ランプベースを前記外管べースに装着一体化して固定した、ランプベース付き外管べ一スを前記ハウジングに着脱自在にしたことを特徴とする２４時間浴水浄化循環装置における水用紫外線殺菌装置としたり、或いは前記構成において、前記ＵＶランプを点灯するための高周波高電圧を発生する点灯回路を前記ランプベースに収納してなることを特徴とした２４時間浴水浄化循環装置における水用紫外線殺菌装置としたことにより、浴水循環路内に配設され、水用紫外線殺菌装置のＵＶランプと外管とを装置本体に対して着脱自在とし、且つ外管に対してＵＶランプをも離脱可能として、ＵＶランプの損傷防止と外管及びＵＶランプの掃除を安全且つ確実にできるようにし、具体的には、外管を取り外す時に、意識して解除操作を行わないとＵＶランプと外管が分離できない構造とし、この解除操作が外管取り外し後にできるようにし、水用紫外線殺菌装置のＵＶランプと外管を着脱可能としてＵＶランプの損傷等を防止でき、前記の課題を解決したものである。
【０００６】
【実施の態様】
図１は本発明の水用紫外線殺菌装置の断面図である。該水用紫外線殺菌装置には、２６０ｎｍ程度の殺菌線が放射されるＵＶランプ１が設けられている。該ＵＶランプ１は具体的には、製造容易な直管タイプで、両端に電極１ａ，１ａが設けられ、一端（上端）が合成樹脂製で，シャーレ状のランプベース２にて保持され、一方の電極１ａ（上端側）から外部に半田付け可能なニッケルメッキ線としてのリード線１ｂが突出し、上端は前記ランプベース２を貫通し、且つ他方側（下方側）の電極１ａからの裸線１ｃも前記ランプベース２の下部側筒部２ａを貫通している。また、前記ランプベース２の底部下面の周囲には、３箇所又は４箇所等分に下端に鉤を形成した係合突起５ａ，５ａ，…が突設されている。
【０００７】
外管３は、一端（下端）が閉塞され、上端（上端）が開口され、殺菌線を通し易い石英等で作られ、前記ＵＶランプ１への浴水の浸入を遮断するものである。前記外管３は、鍔状の外管ベース４の中央孔部の内周に接着剤又はパッキン６を介して保持シールされ、外管３と外管ベース４とが水密的に固定されている。該外管ベース４の周囲寄りには、前記係合突起５ａ，５ａ，…が適宜係合する被係合孔５ｂ，５ｂ，…が形成され、係合突起５ａと被係合孔５ｂとを総称して係合部５とする。これによって、前記ランプベース２は外管ベース４に対して係合部５を介して固定されている。必要に応じて、ランプベース２に対して外管ベース４を分離可能に構成されている。具体的には、係合突起５ａの係合を解除するように該係合突起５ａの軸部を変形されるようにして被係合孔５ｂから離脱させてランプベース２と外管ベース４とを分離させるものである。
【０００８】
ハウジング７は、筒状をなし、その上端は、２４時間浴水浄化循環装置の本体２０の開口部２０ａに固着され、且つ上端の内周には内ネジ部７ａが形成され、その近くの胴体部に浴水の流入口７ｂが設けられ、他端（下端）には、流出口７ｃが設けられている。前記外管ベース４の外周に設けられた外ネジ部４ａが、前記ハウジング７の内ネジ部７ａに螺合され、ランプベース２付き外管ベース４とハウジング７とは着脱自在に構成されている。
【０００９】
８は、ランプベース２に収納された高周波高電圧を発生させ，且つＵＶランプ１を点灯させるための点灯回路としての，インバータ回路であって、前記ＵＶランプ１に接続され、且つランプベース２に合成樹脂にて埋め込まれるようにして設けられている。８ａはインバータ回路８のインバータ回路蓋で、ユーザーが高周波高電圧を発生するインバータ回路８に直接手で触れられないようにしたものである。前記インバータ回路蓋８ａはランプベース２に接着又はねじ止めされている。
【００１０】
また、インバータ回路８からは、本体の制御回路９とを結ぶリード線１０ａが出ており、途中でコネクター１０ｂにて接続されている。該コネクター１０ｂ及びリード線１０ａに流れる電流は低電圧の電流で、コネクター１０ｂの脱着時の感電や火花等の危険を防止している。
【００１１】
１１ａ，１１ｂは磁気近接スイッチで、前記インバータ回路８に内蔵されている。１２ａ，１２ｂは磁石であって、後述するカバー１３，本体２０箇所にそれぞれ取付けられている。それぞれの磁石１２ａ，１２ｂが磁気近接スイッチ１１ａ，１１ｂから離れるとインバータ回路８の電流をストップする制御を行う安全回路である。磁石１２ａは、ＵＶランプ１にシャワーなどの水がかかった場合に、回路やランプが水に濡れるのを防ぐカバー１３に取り付けられている。従って、該カバー１３が取り外されたときに、インバータ回路８の電流をストップする。前記カバー１３は、本体２０に設けた筒状継手片２０ｂに着脱自在に設けられている。
【００１２】
また、２４時間浴水浄化循環装置の本体２０から、ＵＶランプ１付きランプベース２及び外管ベース４を分離させた場合に、インバータ回路８の電流をストップさせる。このように、インバータ回路８の安全回路を２つ設けている理由は、ＵＶランプ１が本体から離された状態で、カバー１３が取り付けられても、インバータ回路８が作動しないようにするためである。
【００１３】
次に、外管の清掃時の取り外し及びＵＶランプ１の交換の方法を説明する。まず、カバー１３を外し（図２）、コネクター１０ｂを外し、インバータ回路蓋８ａを反時計方向に回転させる。該インバータ回路蓋８ａはランプベース２に固定され、該ランプベース２は外管ベース４に固定されているので、ランプベース２及び外管ベース４も同時に反時計方向に回転し、その外周に設けられた外ネジ部４ａによって、ＵＶランプ１、外管３、インバータ回路８を含むランプユニットが、上に持ち上がり、ハウジング７から分離される（図３及び図４参照）。そのままの状態で前記外管３を清掃する。或いはランプユニットの交換をして、再び前記の逆の手順で元通りにセットすることで組立を完了する。
【００１４】
次に、ＵＶランプ１の交換をするときは、前記と同様の手順でハウジング７からＵＶランプ１、外管３、インバータ回路８を含むランプユニットを、上に持ち上げて取り出した後に、係合部５の係合突起５ａを外側から中心に向かって指で押して、係合突起５ａが撓ませ、被係合孔５ｂから係合突起５ａを外し、係合を解き、外管３付き外管ベース４と、ＵＶランプ１付きランプベース２とを上下にに分離する（図５及び図６参照）。このようにＵＶランプ１を取り出した後に、該ＵＶランプ１を掃除して、今度は、今までとは逆の手順で元通りにセットすることで組立を完了する。
【００１５】
外管３付き外管ベース４と、ＵＶランプ１付きランプベース２とは適宜分離可能に構成されている手段として、係合部５を実施の形態として説明したが、実施の形態のような係合部５の外に、ピン等で連結したり、前記外管ベース４の外ネジ部４ａの逆方向のネジとしてのネジ連結されることもある。さらに、磁石等でランプベース２と外管ベース４とを着磁することもあり、分離可能であれば、実施の形態に制限されない。
【００１６】
制御関係の他の実施態様としては、インバータ回路８がランプベース２に内蔵されているタイプで説明したが、インバータ回路８が別で設けられ、リード線等で接続されているタイプのものもある。特に熱陰極タイプのＵＶランプ１を使用した場合、該ＵＶランプ１に流れる電圧が冷陰極タイプに比べて低いので、ランプ部からでているリード線にコネクターを設けても安全上何ら問題ない。また、前記の実施態様では、ランプユニットの交換のためのコネクター１０ｂを設けているが、コネクター等のリード線を分離する手段を設けないで、ランプ交換はサービスマンなどが実施するのを前提として、ランプ交換時にはリード線を切断し、再び閉端子などで結線する方法をとることもある。さらに、ここではコネクター１０ｂとして説明してきたが、これはインバータ回路８からランプへの電源及び信号供給線を分離できるものであれば充分であるため、コンセント形状のものや端子台のようなものも含まれる。
【００１７】
【発明の効果】
請求項１の発明では、第１にＵＶランプ１の破損防止ができ、第２に外管３及びＵＶランプ１の掃除も好適にできる等の利点がある。具体的には、ランプ部を直接さわる頻度が少なくなることで、ランプ部の破損が減るだけでなく、外管の清掃作業も楽になる。また、今まではランプ部の構造を何回もの外管への出し入れを想定して設計していたが、この方法を用いることで注意の必要なランプの取り扱いは交換時にＵＶランプ１を挿入する１回だけとなり、ランプの取り出し操作は、既に玉切れした廃棄するＵＶランプ１の取り扱いになるため、注意を必要としなくなるだけでなく、ＵＶランプ１の出し入れを想定した補強部材などの削減などランプのコスト低減にも大いなる効果を発揮する。
【００１８】
さらに、請求項１の発明では、ＵＶランプ１はランプベース２に、外管３は外管ベース４にそれぞれ固着され、そのランプベース２と外管ベース４とは係合部５を介して固定されているために、最初は、ＵＶランプ１と外管３とは同時にハウジング７から取り出すことができる。これによって、外管３内のＵＶランプ１は破損させることなく安全に取り出すことができる。
【００１９】
次いで、取り出した後に、係合部５を解除してＵＶランプ１を外管３から取り出すこともできる。これで、ＵＶランプ１の掃除もできる。このときに、外管３からＵＶランプ１を取り出すときには、外管３は既に取り出した部材で、比較的軽いものであり、双方を持って取り扱うことで、確実にＵＶランプ１の破損は防止できる。以上のように、外管３及びＵＶランプ１の掃除ができるとともに、ＵＶランプ１の破損防止が確実にできる点に大きな効果がある。
【００２０】
請求項１において、前記ＵＶランプを点灯するための高周波高電圧を発生する点灯回路を前記ランプベースに収納してなることを特徴とした２４時間浴水浄化循環装置における水用紫外線殺菌装置としたことにより、インバータ方式などの高周波高電圧の電流で作動するランプの場合は、回路からランプ間の高周波高電圧部のリード線を覆うことができ、非常に安全な構造にできる効果があり、且つ回路構成を簡単にできる。
【図面の簡単な説明】
【図１】本発明の要部断面図
【図２】カバーを外している状態の本発明の要部断面図
【図３】水用紫外線殺菌装置からＵＶランプ，外管，ランプベース，外管ベースとＵＶランプの点灯回路箇所を外している状態の断面図
【図４】（Ａ）はＵＶランプ，外管とランプベース及び外管ベース箇所の一部切除した斜視図
（Ｂ）は（Ａ）の断面図
【図５】外管ベース付き外管からランプベース付きＵＶランプを外している状態の断面図
【図６】（Ａ）はランプベース付きＵＶランプの一部省略した斜視図
（Ｂ）は外管ベース付き外管の一部切除した斜視図
【図７】本発明の別の実施の態様の要部断面図
【図８】従来技術の断面図
【符号の説明】
１…ＵＶランプ
２…ランプベース
３…外管
４…外管ベース
５…係合部
７…ハウジング
【図１】
0003913816.tif 000002
【図２】
0003913816.tif 000003
【図３】
0003913816.tif 000004
【図４】
0003913816.tif 000005
【図５】
0003913816.tif 000006
【図６】
0003913816.tif 000007
【図７】
0003913816.tif 000008
【図８】
0003913816.tif 000009